【手続補正書】
【提出日】平成19年7月17日(2007.7.17)
【手続補正１】
【補正対象書類名】明細書
【補正対象項目名】特許請求の範囲
【補正方法】変更
【補正の内容】
【特許請求の範囲】
【請求項１】  コンピュータネットワーク上で行われた検索から得られた検索結果を提示する方法であって、該検索は検索基準を使用して実行され、複数のネットワーク位置を含む情報を返すものであり、該方法が、
（ａ）前記ネットワーク位置の第１のものからデータを抽出するステップと、
（ｂ）前記検索基準の前記第１のネットワーク位置内の少なくとも一つの特定位置を提供するために、前記データ中の該検索基準を識別するべく前記データを調べるステップと、
（ｃ）前記一つの特定位置を用いて、前記抽出されたデータから、少なくとも一つの前記検索基準を含む特定データを識別するステップと、
（ｄ）前記特定データをプリント可能なドキュメントにフォーマットするステップと、
（ｅ）前記ネットワーク位置の残りの各々について、前記ステップ（ａ）乃至（ｄ）を繰り返すステップとを備え、前記ステップ（ｄ）において、前記残りのネットワーク位置に関しての前記フォーマットされたデータを前記プリント可能なドキュメントに組み込むことを特徴とする方法。
【請求項２】  前記ステップ（ｃ）は、前記ネットワーク位置の中の所定の複数の前記特定位置から更なる特定データを識別することを含むことを特徴とする請求項１に記載の方法。
【請求項３】  前記ステップ（ｄ）は、前記抽出されたデータと前記ネットワーク位置の異なったものから抽出されたデータとを分離するために前記フォーマットされたプリント可能なドキュメントに第１のグラフィカルセパレータを組み込むことを含むことを特徴とする請求項１に記載の方法。
【請求項４】  前記ステップ（ｄ）は、更に、前記ネットワーク位置のルート位置にて抽出された前記データから得られるルートデータを、対応する前記特定データと関連して前記フォーマットされたプリント可能なドキュメントにフォーマッティングするためのコードを含み、これにより、前記ルートデータが前記対応する特定データへの文脈上の基礎をサポートすることを特徴とする請求項１に記載の方法。
【請求項５】  前記ステップ（ｄ）は、更に、対応する前記特定データと前記ルートデータとを分離するために、前記フォーマットされたプリント可能なドキュメントに第２のグラフィカルセパレータを組み込むことを備えることを特徴とする請求項４に記載の方法。
【請求項６】  前記プリント可能なドキュメントは複数のカラムにフォーマットされることを特徴とする請求項１に記載の方法。
【請求項７】  （ｆ）前記検索の実行者にプリント可能なドキュメントを表示するステップを更に備えることを特徴とする請求項１に記載の方法。
【請求項８】  前記プリント可能なドキュメントはプリントプレビューフォーマットで表示されることを特徴とする請求項７に記載の方法。
【請求項９】  （ｇ）前記プリント可能なドキュメントをプリントするステップを更に備えることを特徴とする請求項１に記載の方法。
【請求項１０】  （ｇ）前記電子的に表示されたプリント可能なドキュメントをプリントするステップを更に備えることを特徴とする請求項７に記載の方法。
【請求項１１】  前記抽出されたデータは複数のデータタイプのものであり、前記ステップ（ｄ）によるフォーマッティング処理は前記データタイプをそれぞれの電子的表示とプリントに適した共通のデータタイプに変換することを特徴とする請求項１に記載の方法。
【請求項１２】  プリントによる再生が意図される電子化ドキュメントをフォーマットする方法であって、
（ａ）コンピュータネットワークにおける少なくとも１つの位置から主データを引用するステップと、該引用された主データは複数のデータタイプを含み、
（ｂ）前記引用された主データを、電子的表示とプリントの各々に適した共通のデータタイプにフォーマットするステップと、
（ｃ）少なくとも１つのプリント可能なページにかかるプリント可能なドキュメントとして、前記フォーマットされたデータをアレンジするステップと、
（ｄ）少なくとも１つの前記ページにおいて前記フォーマットされたデータがない１つ又はそれ以上の位置を識別するステップと、
（ｅ）前記コンピュータネットワークから更なるデータを引用するステップと、
（ｆ）前記プリント可能なドキュメント内の前記少なくとも一つの位置の中に、前記引用された更なるデータをフォーマットして組み込むステップとを備えることを特徴とする方法。
【請求項１３】  前記ステップ（ｃ）は、それの複数のコンポーネントが少なくとも単一の前記プリント可能なページで再現可能となるように、前記フォーマットされたデータの少なくともいくつかをアレンジすることを含むことを特徴とする請求項１２に記載の方法。
【請求項１４】  前記更なるデータは、複数のデータタイプで構成され、前記ステップ（ｆ）は、前記更なるデータを前記共通データタイプにフォーマットすることを備えることを特徴とする請求項１２に記載の方法。
【請求項１５】  前記ステップ（ｆ）は、前記少なくとも１つの位置での組込みを可能とするために、前記更なるデータの再現可能なサイズを調整することを含むことを特徴とする請求項１２に記載の方法。
【請求項１６】  前記更なるデータは、前記主データの文脈に関連することを特徴とする請求項１２に記載の方法。
【請求項１７】  前記更なるデータは、前記文脈に関連する広告内容を含むことを特徴とする請求項１６に記載の方法。
【請求項１８】  前記ステップ（ｅ）は、前記文脈の前記ネットワーク内の特定の位置を知らせ、次に、前記特定の位置は、前記プリント可能なドキュメントへ供給するために、前記文脈を用いて前記ネットワークの更なる位置から前記更なるデータを抽出することを特徴とする請求項１６に記載の方法。
【請求項１９】  プリントによる再生を意図された電子化ドキュメントをフォーマットする方法であって、
（ａ）検索処理から、該検索処理によって返された少なくとも１つの検索結果のコンピュータネットワーク内の位置情報を取得するステップと、
（ｂ）前記位置情報を用いて、前記コンピュータネットワークから前記検索結果の各々に関連するデータを取得するステップと、該データは前記検索基準を含み、
（ｃ）取得された前記検索基準を含むデータを、プリント可能な電子化ドキュメントへフォーマットするステップとを備えることを特徴とする方法。
【請求項２０】  前記ステップ（ｂ）が前記検索結果の各々に対して、
（ｂａ）対応する位置情報を用いて、前記検索結果のアクセス可能な全データを取得するサブステップと、
（ｂｂ）前記取得された全データをチェックして、それらの中に前記検索基準を識別するサブステップと、
（ｂｃ）前記検索基準の各識別に関して、前記取得された全データ内の前記検索基準の特定位置を記録するサブステップとを備えることを特徴とする請求項１９に記載の方法。
【請求項２１】  前記ステップ（ｂ）が、更に、前記検索結果の各々に対して、
（ｂｄ）その中に少なくとも一度も前記検索基準が識別されなかった場合、前記取得された全データを破棄するサブステップを備えることを特徴とする請求項２０に記載の方法。
【請求項２２】  前記ステップ（ｃ）は前記検索結果の各々に対して、
（ｃａ）前記検索基準の少なくとも１つの存在に対応して前記取得されたデータの少なくとも１つの部分を識別するサブステップと、
（ｃｂ）前記識別された１つの部分を電子的表示とプリントの両方に適切なデータフォーマットへ変換するサブステップと、
（ｃｃ）前記変換された、識別された部分を、所定のフォーマットに従って、前記電子ドキュメントへ組み込むサブステップとを備えることを特徴とする請求項１９に記載の方法。
【請求項２３】  前記検索結果の各々に対して、前記サブステップ（ｃａ）は、前記対応する部分を識別するために前記特定位置を用いることを特徴とする請求項２２に記載の方法。
【請求項２４】  前記ステップ（ｃ）が前記検索結果の各々に対し、
（ｃｄ）前記位置情報のルートにアレンジされた前記取得データの先頭位置を識別するサブステップと、
（ｃｅ）前記先頭位置を前記共通データフォーマットへ変換するサブステップとを備え、
前記サブステップ（ｃｃ）が、前記変換された先頭部分と前記変換された特定の一部分とを前記電子化ドキュメントへ組込むことを含むことを特徴とする請求項２２に記載の方法。
【請求項２５】  コンピュータネットワーク上で実行された検索から得られた検索結果を提示する装置であって、該検索は検索基準を用いて実行されて複数のネットワーク位置を含む情報を返すものであり、該装置は、
前記ネットワーク位置の最初の１つからデータを抽出する抽出手段と、
前記第１のネットワーク位置内における、前記検索基準の少なくとも１つの特定位置を提供するべく、該検索基準を識別するために前記データを調べる調査手段と、
前記抽出されたデータから、少なくとも前記検索基準を含む特定データを識別するために前記１つの特定位置を利用する利用手段と、
前記特定データをプリント可能なドキュメントへフォーマットするフォーマット手段とを備えることを特徴とする装置。
【請求項２６】  前記利用手段が、前記ネットワーク位置内の所定数の複数の前記特定位置から更なる特定データを識別することを特徴とする請求項２５に記載の装置。
【請求項２７】  前記フォーマット手段は、前記抽出されたデータと異なるネットワーク位置〜抽出されたデータとを分離するために、前記フォーマットされたプリント可能ドキュメントに第１のグラフィカルセパレータを組み込むことを特徴とする請求項２５に記載の装置。
【請求項２８】  前記フォーマット手段は、更に、前記ネットワーク位置のルート位置における前記抽出されたデータから得られるルートデータを、対応する前記特定データに関連する前記フォーマットされたプリント可能ドキュメントへフォーマットし、それにより、前記ルートデータは前記対応する特定データへの文脈的な基礎をサポートし、前記対応する特定データと当該ネットワーク位置の前記ルートデータとを分離するために、前記フォーマットされたプリント可能ドキュメントに第２のグラフィカルセパレータを組み込むことを特徴とする請求項２５に記載の装置。
【請求項２９】  前記プリント可能ドキュメントは複数のカラムにフォーマットされることを特徴とする請求項２５に記載の装置。
【請求項３０】  前記検索の実行者にプリント可能ドキュメントを表示するための表示装置と、該プリント可能ドキュメントをプリントするプリンタとを更に備えることを特徴とする請求項２５に記載の装置。
【請求項３１】  印刷による再現が意図された電子化ドキュメントをフォーマットする装置であって、
コンピュータネットワークの少なくとも１つの位置から主データを引用する引用手段と、ここで該引用された主データは多くのデータ型を含み、
前記引用された主データを、電子表示と印刷の各々に適した共通のデータ型にフォーマットするフォーマット手段と、
前記フォーマットされたデータを、少なくとも１ページの印刷可能なページにかかるプリント可能なドキュメントとして配置する配置手段と、
少なくとも１つのページにおいて、フォーマットされたデータが無い１つ以上の位置を識別する識別手段と、
前記コンピュータネットワークからの更なるデータを引用する更なる引用手段と、
前記引用された更なるデータを、前記プリント可能なドキュメント内の、前記少なくとも１つのロケーション内にフォーマットして組み込む手段とを備えることを特徴とする装置。
【請求項３２】  印刷による再生を意図された電子化ドキュメントをフォーマットする装置であって、
検索処理によって返送される少なくとも一つの検索結果の、コンピュータネットワーク内の位置情報を、該検索処理から取得する取得手段と、
前記コンピュータネットワークから前記検索結果の各々に関連するデータを取得するために前記位置情報を用いる手段と、該データは前記検索基準を含み、
前記検索基準を含む前記取得したデータを、プリント可能な電子化ドキュメントへフォーマットするフォーマット手段とを備えることを特徴とする装置。
【請求項３３】  コンピュータネットワーク上で実行された検索から取得される検索結果を提示するための処理手順をコンピュータに実行させるためのプログラムが記録されたコンピュータ可読媒体であって、該検索は検索基準を用いて実行され、複数のネットワーク位置を含む情報を返すものであり、該プログラムが、
前記ネットワーク位置の第１のものからデータを抽出するためのコードと、
前記検索基準の前記第１のネットワーク位置内の少なくとも一つの特定位置を提供するために、前記データ中の該検索基準を識別するべく前記データを調べるためのコードと、
前記抽出されたデータから、少なくとも一つの前記検索基準を含む特定データを識別するために前記一つの特定位置を用いるためのコードと、
前記特定データをプリント可能なドキュメントにフォーマットするためのコードとを備えることを特徴とするコンピュータ可読媒体。
【請求項３４】  プリントによる再生が意図された電子化ドキュメントをフォーマットするための制御手順をコンピュータに実行させるべく構成されたプログラムが記録されたコ  ンピュータ可読媒体であって、該プログラムが、
コンピュータネットワークにおける少なくとも１つの位置からの主データを引用するためのコードと、該引用された主データが複数のデータタイプを含み、
前記引用された主データを、電子的表示とプリントの各々に適した共通のデータタイプにフォーマットするためのコードと、
少なくとも１つのプリント可能なページにかかるプリント可能なドキュメントとして、前記フォーマットされたデータをアレンジするためのコードと、
少なくとも１つの前記ページで、前記フォーマットされたデータを持たない１つ又はそれ以上の位置を確認するためのコードと、
前記コンピュータネットワークからの更なるデータを引用するためのコードと、
前記引用された更なるデータを、前記プリント可能なドキュメント内の前記少なくとも一つの位置の中に、フォーマットして組み込むためのコードとを備えることを特徴とするコンピュータ可読媒体。
【請求項３５】  コンピュータに、プリントによる再生を意図された電子化ドキュメントをフォーマットさせるべく構成されたプログラムを記録するコンピュータ可読媒体であって、該プログラムが、
検索処理によって返された少なくとも１つの検索結果からコンピュータネットワーク内の位置情報を取得するためのコードと、
前記コンピュータネットワークから前記検索結果の各々に関連するデータを取得するために前記位置情報を用いるコードと、該データは前記検索基準を含み、
前記検索基準を含む前記取得されたデータを、プリント可能な電子化ドキュメントへフォーマットするためのコードとを備えることを特徴とするコンピュータ可読媒体。
【請求項３６】  前記フォーマットするためのコードが、
前記位置情報のルートにアレンジされた前記取得データの先頭位置を識別するサブコードと、
前記先頭位置を前記共通データフォーマットへ変換するサブコードとを備え、
前記組み込むサブコードが、前記変換された先頭部分と前記変換された識別された一つの部分とを、前記電子化ドキュメントへ組込むことを含むことを特徴とする請求項２２に記載の方法。
【手続補正２】
【補正対象書類名】明細書
【補正対象項目名】発明の名称
【補正方法】変更
【補正の内容】
【発明の名称】検索結果を提示する方法及び装置、並びに、電子化ドキュメントをフォーマットする方法及び装置